(57)【特許請求の範囲】
【請求項１】
眼内挿入用レンズを保持するレンズ保持部を有し、前記レンズを前記レンズ保持部から押出し軸によって該挿入器具の先端方向に移動させて眼内に挿入する眼内挿入用レンズの挿入器具であって、
前記レンズ保持部は、
前記レンズの辺縁部における前記レンズの中心から見て前記先端方向にある位置から周方向両側に第１の周方向角度だけ後退した位置から後方の領域にある第１の保持部と、
前記第１の周方向角度より大きい第２の周方向角度の位置から後方の領域にある第２の保持部とを、
前記辺縁部における互いに反対側の面に当接可能に有し、
前記レンズが前記レンズ保持部から前記押出し軸によって前記先端方向に押される際に、前記レンズを前記第１の保持部に向かって凸形状とするように変形させるための構造を有することを特徴とする眼内挿入用レンズの挿入器具。
【請求項２】
請求項１に記載の挿入器具と、
前記レンズ保持部にて保持された眼内挿入用レンズとを有することを特徴とする眼内挿入用レンズの挿入システム。
【請求項３】
請求項１に記載の挿入器具を準備する工程と、
眼内挿入用レンズを前記レンズ保持部に保持させる工程とを含むことを特徴とする眼内挿入用レンズの挿入システムの製造方法。
【発明の詳細な説明】
【技術分野】
【０００１】
本発明は、白内障で水晶体を摘出した後に水晶体の代わりに挿入されたり、屈折異常を矯正する等の目的で眼内に挿入されたりする眼内挿入用レンズを眼内に挿入するための挿入器具に関するものである。
【背景技術】
【０００２】
白内障の手術においては、人工の眼内挿入用レンズをその可撓性を利用して小さく折畳むように変形させ、該レンズを眼球に形成した切開創から眼内へ挿入する術法が主流となっている。そして、このような手術においては、器具本体に装填されたレンズを押出し軸によって該器具本体内を移動させながら小さく変形させ、切開創に差し込まれた挿入筒の先端開口からレンズを眼内に押し出す挿入器具（例えば、特許文献１参照）が多く用いられている。
【０００３】
このような挿入器具は、白内障の手術だけではなく、視力補正治療等での眼内挿入用レンズの挿入手術においても用いられる。
【０００４】
特許文献１にて開示されている挿入器具では、該挿入器具のレンズ保持部に眼内挿入用レンズをその光学部に応力をかけない状態で保持させておくことで、挿入器具にレンズを収容した状態で長期間の保管を可能としている。そして、手術時には、該挿入器具に設けられたレンズ移動機構によってレンズをある程度変形させながら押出し軸によって押出し可能な位置（挿入準備位置）に移動させ、その後、押出し軸の操作によってレンズを小さく変形させて眼内へ挿入する。
【特許文献１】特開２００１−１０４３４７号公報
【発明の開示】
【発明が解決しようとする課題】
【０００５】
しかしながら、特許文献１にて開示された挿入器具では、手術時に、レンズをレンズ保持部から挿入準備位置に移動させるためのレンズ移動機構の操作と、レンズを眼内に押し出すための押出し軸の操作という２段階の操作が必要である。これに対し、手術者にとっては、押出し軸の操作のみで保管状態からレンズの眼内への押出しが可能である方がより操作が簡単で、使い勝手がよい。
【０００６】
本発明は、レンズを保管している状態からそのまま押出し軸によってスムーズに眼内に押し出すことが可能な眼内挿入用レンズの挿入器具を提供することを目的の１つとしている。
【課題を解決するための手段】
【０００７】
本発明の一側面としての挿入器具は、眼内挿入用レンズを保持するレンズ保持部を有し、該レンズをレンズ保持部から押出し軸によって該挿入器具の先端方向に移動させて眼内に挿入する眼内挿入用レンズの挿入器具である。レンズ保持部は、レンズの辺縁部におけるレンズの中心から見て先端方向にある位置から周方向両側に第１の周方向角度だけ後退した位置から後方の領域にある第１の保持部と、第１の周方向角度より大きい第２の周方向角度の位置から後方の領域にある第２の保持部とを、該辺縁部における互いに反対側の面に当接可能に有する。そして、レンズがレンズ保持部から押出し軸によって先端方向に押される際に、レンズを第１の保持部に向かって凸形状とするように変形させるための構造を有することを特徴とする。
【０００８】
なお、上記挿入器具と、該挿入器具の本体内に収容された眼内挿入用レンズとを含む眼内挿入用レンズの挿入システムも本発明の一側面を構成する。
【発明の効果】
【０００９】
本発明によれば、例えば第１面が下になるようにレンズをレンズ保持部にセットした状態では、第１の保持部は、第２の保持部よりも先端側の位置から後方の領域で辺縁部を支持する。これにより、レンズの先端側の部分を下方向に変形させることなくレンズを支持することができる。しかも、レンズの先端側に先端方向への十分な開放角度範囲を形成することができるため、レンズ保持部によって保持されたレンズをそのまま押出し軸によってスムーズに押し出すことができる。
【００１０】
さらに、第２の保持部は、このように第１の保持部によって支持されたレンズの第２面の辺縁部のうち、第１の保持部よりも後方の領域を押さえる。これにより、レンズが第１の保持部に対して浮くことを確実に防止できるとともに、レンズ辺縁部における第１の保持部と同じ領域に第２の保持部を当接させる場合に比べて、押出し軸によるレンズの押出しやこれに伴うレンズの変形をスムーズに行わせることができる。しかも、レンズの押出しに際して辺縁部を第１の保持部に向かって凸形状とするように変形させるための構造を有するため、レンズの変形させながらの押出しをよりスムーズに行うことができる。
なお、レンズ保持部がレンズの辺縁部を保持することで、光学部に実質的に応力が作用しない状態でレンズを保持することができ、長期間の保管も可能となる。
【００１１】
なお、レンズ保持部がレンズの辺縁部を保持することで、光学部に実質的に応力が作用しない状態でレンズを保持することができ、長期間の保管も可能となる。
【発明を実施するための最良の形態】
【００１２】
以下、本発明の実施例について図面を参照しながら説明する。
【００１３】
図１には、本発明の実施例である眼内挿入用レンズの挿入器具の上面図（ａ）および側面断面図（ｂ）を示す。
【００１４】
ここで、以下の説明において、眼内挿入用レンズを押し出す方向を先端方向又は先端側といい、その反対側を後方又は後端側という。また、この先端側と後端側に延び、挿入器具内で保持された眼内挿入用レンズの中心を通る軸を挿入器具の中心軸といい、該中心軸に沿った方向を軸方向という。さらに、該軸方向に対して直交する方向を径方向といい、軸回りの方向（軸方向視における外周又は内周に沿う方向）を周方向という。
【００１５】
図１において、２は筒部材であり、５は筒部材２の先端に取り付けられた挿入筒である。これら筒部材２と挿入筒５とにより本体が構成される。
【００１６】
筒部材２の後部外周には、径方向外方に延びるつば部２ｅが形成されている。このつば部２ｅは、後述する押出し軸６を先端方向に押し込む際に、操作者が指をかけるための部分である。
【００１７】
挿入筒５の後部上面には、眼内挿入用レンズ（以下、単にレンズという）１を挿入筒５内で支持するためのレンズ支持部材第１の保持部）４を挿入筒５内に設置するための開口部が形成されている。該上面開口部を通じてレンズ支持部材４（挿入筒）５内に配置されたレンズ１は、該レンズ支持部材４と、該上面開口部を塞ぐカバー部材３に形成されたレンズ押さえ部（第２の保持部）とによって、その光学部（レンズとしての光学作用を有する部分）の辺縁部分が上下から挟まれるようにして保持される。なお、レンズ支持部材４、カバー部材３のレンズ押さえ部によってレンズ保持部が構成される。このレンズ保持部の具体的な構成については後述する。
【００１８】
第１のレンズ保持部および第２のレンズ保持部によって、レンズ１は、光学部に実質的に応力が作用しない状態で保持される。ここにいうレンズ１の光学部に実質的に応力が作用しない状態とは、光学部に全く応力が作用しない状態だけでなく、保持状態でレンズ１が長期間保管されたとしても、眼内挿入後の光学部の光学作用に影響を与えるような変形が残らない程度に微小な応力が作用する状態も含む意味である。
【００１９】
挿入筒５の先端部５ｂは、眼球に形成された切開創に差し込まれてレンズ１を眼内に送り出す部分であり、先端ほど内径が小さくなる形状を有する。先端部５ｂは、図２（（ａ）は上面図、（ｂ）は側面断面図）に示すように、押出し軸６によって押されて該先端部５ｂの内部を通過するレンズ１を小さく折り畳むように変形させ、先端開口から該レンズ１を眼内に送り出す。
【００２０】
筒部材２内に挿入される押出し軸６における軸方向中間部よりも先端側の部分には、挿入筒５の先端部５ｂ内を通過できるような細い径を有する押し軸部６ｅが形成されている。押し軸部６ｅの先端には、レンズ保持部に保持されたレンズ１の光学部を上下から挟んで確実に挿入筒５を介して眼内に押し出すための二股形状のレンズ挟持部６ｇが形成されている。
【００２１】
また、押出し軸６の中間部には、該押出し軸６の軸方向視において円形断面を有し、筒部材２の内径よりも若干小さな外径を有する円筒部６ｆが形成されている。この円筒部６ｆの外周には、不図示のＯリングが取り付けられ、該Ｏリングは筒部材２の内周面に対して密着してシール構造を形成する。このシール構造は、レンズ１を眼内に押し出す際に、挿入筒５および筒部材２内にヒアルロン酸水溶液等の粘弾性物質が潤滑剤がとして注入されるため、これが筒部材２の後端開口から漏れ出ないようにするためのものである。
【００２２】
また、押出し軸６の円筒部６ｆから後端側の部分は、該押出し軸６の軸方向視において上面が平面であるＤ形状断面を有するように形成されている。図１中の６ａは、このＤ形状断面を有するＤカット軸部を示している。
【００２３】
さらに、押出し軸６の後端には、Ｄカット軸部６ａや円筒部６ｆよりも径方向外方に延出したつば部６ｃが形成されている。このつば部６ｃは、レンズ１を眼内に挿入するために押出し軸６を先端方向に押し込む操作を行う際に、操作者が指で押す部分である。
筒部材２におけるつば部２ｅよりも後方の部分は、周方向において開閉可能な分割構造を有する。
【００２４】
該分割構造部は、開閉部２ａと固定部２ｂとを有して構成されている。固定部２ｂは、筒部材２におけるつば部２ｅより先端側の部分からそのまま後方に延びるように形成された半円筒状の部分である。固定部２ｂの径方向一端には、ヒンジ部２ｃを介して開閉部２ａの径方向一端が連結されている。開閉部２ａおよびヒンジ部２ｃは、固定部２ｂ（つまりは筒部材２）に一体形成されている。開閉部２ａは、ヒンジ部２ｃを中心として固定部２ｂに対して開閉が可能である。
【００２５】
なお、図示しないが、開閉部２ａにおけるヒンジ部２ｃとは反対側には、ロック爪が形成されている。一方、固定部２ｂにおけるヒンジ部２ｃとは反対側には、該ロック爪が係合可能なロック受け部が形成されている。開閉部２ａを固定部２ｂに対して閉じてロック爪をロック受け部に対して係合させることで、開閉部２ａが固定部２ｂに組み合わされた（結合された）状態でロックされる。
【００２６】
開閉部２ａの後端における周方向中央部には、壁部２ｄが形成されている。該壁部２ｄは、開閉部２ａを固定部２ｂに対して閉じた状態の分割構造部に、Ｄ形状断面を有する後端開口を形成するためのものである。この後端開口の形状が押出し軸６のＤカット軸部６のＤ形状断面にほぼ一致することで、押出し軸６の筒部材２に対する回転が阻止される。押出し軸６の先端に設けられたレンズ挟持部６ｇは、レンズ１の光学部の上下面を正しく挟むことができるように方向が決まっている。このため、上述したように押出し軸６の回転を阻止することで、レンズ１の押出しミスを回避することができる。
【００２７】
ここで、押出し軸６における円筒部６ｆとＤカット軸部６ａとの境界には、該Ｄカット軸部６ａと円筒部６ｆとの径方向寸法差によって段差部６ｂが形成される。そして、該段差部６ｂが、開閉部２ａの壁部２ｄに先端側から当接することで、押出し軸６の筒部材２に対する後方への抜けが阻止される。この抜け止め構造は、手術中に押出し軸６が筒部材２から抜け出てしまう不都合を回避するために設けられている。
【００２８】
次に、レンズ保持部の構成について、図３Ａから図６を用いて説明する。
【００２９】
図３Ａには、挿入筒５内に組み込まれたレンズ支持部材４を上面から（レンズの中心Ｏを通るレンズ光軸の方向から）見たときの形状を示している。また、図３Ｂには、図３Ａに示すレンズ支持部材４および挿入筒５を、図３Ａ中のＡ〜Ｄの位置で切断して矢印方向（先端側）から見た正面断面を示している。また、図３Ｃはレンズ支持部材４および挿入筒５の側面断面を示している。さらに、図４には、レンズ支持部材４の一部を図３Ａ中のＥの位置で切断して矢印方向から見た断面を示している。
【００３０】
以下の説明において、レンズ１のうちレンズ支持部材４によって支持される側の面（第１面）を下面といい、後述するカバー部材３のレンズ押さえ部によって押さえられる側の面（第２の面）を上面という。また、図３Ｂでの上下方向をレンズ支持部材４における上下方向（垂直方向）とし、図３Ｂでの左右方向をレンズ支持部材４における左右方向（水平方向）とする。
【００３１】
まず、レンズ保持部にて保持されるレンズ１の構成について説明する。レンズ１は、上面視において円形形状を有し、レンズとしての機能を有する光学部１ａと、該光学部１ａの先端側および後端側の部分から延出した支持部１ｂとにより構成されている。
【００３２】
支持部１ｂは、該レンズ１が眼内に挿入された後、光学部１ａを眼内で弾性的に支持するための線状の部分である。
【００３３】
光学部１ａの周囲には、互いに平行な上下の面を有する辺縁部１ｃがリング状に形成されている。
【００３４】
図３Ａに示すように、レンズ支持部材４は、一部を除き、上面視において中心軸ＣＡについて対称形状に形成されている。また、図３Ｂに示すように、レンズ支持部材４は、一部を除き、正面視において中心軸ＣＡを含み、上下方向に延びる面（図示せず）について対称形状に形成されている。
【００３５】
レンズ支持部材４は、挿入筒５の上面開口部から挿入筒５内に組み込まれる。該レンズ支持部材４の上部には、レンズ１を挿入するための開口部４ｐが形成されている。
【００３６】
また、レンズ支持部材４の下部における左右には、先端側保持部としての支持面４ｍ，４ｎが形成されている。該支持面４ｍ，４ｎは、水平方向に対して、外側よりも内側が下がるように傾斜した斜面として形成されている。該支持面４ｍ，４ｎには、図３Ａに示すように、レンズ１の辺縁部（以下、レンズ辺縁部という）１ｃのうち断面Ａに対応する位置から断面Ｂに対応する位置までの円弧領域１ｄの下面に当接し、該円弧領域１ｄを下から支える。
【００３７】
ここで、断面Ａは、図３Ａに示すように、レンズ辺縁部１ｃのうちレンズ１の中心Ｏから先端方向にある位置を０°位置としたときに、該レンズ辺縁部１ｃのうち０°位置から周方向両側に周方向角度６０°だけ後退した位置（以下、６０°位置という）を通る断面である。また、断面Ｂは、レンズ辺縁部１ｃのうち０°位置から周方向両側に周方向角度９０°だけ後退した位置（以下、９０°位置という）を通る断面である。すなわち、支持面４ｍ，４ｎは、レンズ辺縁部１ｃのうち６０°位置から９０°位置までの円弧領域１ｄを支持する。
【００３８】
また、断面Ｃは、レンズ辺縁部１ｃのうち０°位置から周方向両側に周方向角度１２０°だけ後退した１２０°位置を通る断面である。さらに、断面Ｄは、レンズ辺縁部１ｃのうち０°位置から周方向両側に周方向角度１５０°だけ後退した１５０°位置を通る断面である。なお、レンズ中心Ｏを挟んだ０°位置とは反対側の位置を１８０°位置という。
【００３９】
そして、レンズ支持部材４の左右には、支持面４ｍ，４ｎによって支持される円弧領域１ｄよりも後方である１３５°位置から１６５°位置までの間の円弧領域１ｅを支持する後端側保持部としての支持突起４ｂ，４ｃが形成されている。両支持突起４ｂ，４ｃの間の空間は、押出し軸６が通過するための空間である。該空間はわずか３０°の角度範囲であるので、支持突起４ｂ，４ｃは、レンズ辺縁部１ｃの１８０°位置を中心とした９０°の角度範囲の円弧領域を支持しているとみなすこともできる。つまり、本実施例のレンズ支持部材４は、レンズ辺縁部１ｃのうち、左右の６０°位置と１８０°位置とを含む１２０°間隔の３箇所でレンズ１の光学部１ａを支持していることと等価である。
【００４０】
ここで、支持突起４ｂは、図４に拡大して示すように、水平面４ｂ１と、この水平面４ｂ１の後方に形成された垂直面４ｂ２とを有する。水平面４ｂ１は上面視において円弧形状を有し、上記円弧領域１ｅの下面に当接して該円弧領域１ｅを下から支える。また、垂直面４ｂ２は、円弧領域１ｅの外周端面に当接又は近接する円弧形状面であり、レンズ１後方への移動を阻止する。なお、図３ＢのＤ断面図に示すように、支持突起４ｃも、同様に、水平面４ｃ１と垂直面４ｃ２を有する。
【００４１】
さらに、図３Ｂ中のＡ断面図に示すように、レンズ支持部材４の先端側の左右には、レンズ辺縁部１ｃの外周端面における６０°位置に当接又は近接する垂直面４ａ，４ｄが形成されている。該垂直面４ａ，４ｄは、レンズ１の押出し前の状態においてレンズ１の先端方向への移動を阻止するためのものである。
【００４２】
なお、図３Ａに示すように、レンズ支持部材４の先端における上部には、右側から左側（図３Ａの下側から上側）に向かって延びるアーム４ｑが形成されており、さらに該アーム４ｑの左端には、レンズ１の先端側の支持部１ｂを下側から支えるための突起４ｒが先端方向に延びるように形成されている。
【００４３】
また、レンズ支持部材４の後部には、レンズ１の後端側の支持部１ｂを下側から支えるための斜面４ｓが、後端側ほど上に位置するように形成されている。
【００４４】
次に、カバー部材３におけるレンズ押さえ部の構成について図５（（ａ）は下面図、（ｂ）は側面断面図）を用いて説明する。ここでは、図５（ｂ）での上下方向をレンズ支持部材４における上下方向（垂直方向）とし、図５（ａ）での上下方向をレンズ支持部材４における左右方向（水平方向）とする。
【００４５】
カバー部材３は、レンズ支持部材４の上面開口部４ｐを塞ぐように配置され、挿入筒５の側面に形成された係止爪５ｅによって係止される。
【００４６】
カバー部材３は、上面視において中心軸ＣＡについて対称形状に形成されている。また、正面視においても、中心軸ＣＡを含み、上下方向に延びる面（図示せず）について対称形状に形成されている。
【００４７】
カバー部材３の下面の左右には、レンズ辺縁部１ｃの上面のうち０°位置から周方向両側に周方向角度９０°だけ後退した９０°位置からほぼ１２０°位置までの円弧領域１ｆに当接又は近接する先端側保持部としての押さえ突起３ａ，３ｄが形成されている。また、レンズ辺縁部１ｃの上面のうち０°位置から周方向両側に周方向角度１３５°だけ後退した１３５°位置から１６５°位置までの円弧領域１ｇに当接又は近接する後端側保持部としての押さえ突起３ｂ，３ｃが形成されている。なお、押さえ突起３ｂ，３ｃの間の空間は、押出し軸６が通過するための空間である。
【００４８】
押さえ突起３ｂ，３ｃは、レンズ辺縁部１ｃのうちレンズ支持部材４に設けられた支持突起４ｂ，４ｃによって下から支えられる円弧領域１ｅを上から押さえるように配置されている。一方、押さえ突起３ａ，３ｄは、レンズ辺縁部１ｃのうちレンズ支持部材４に設けられた支持面４ｍ，４ｎに当接しない円弧領域１ｆ（支持面４ｍ，４ｎに当接する円弧領域１ｄよりも後方の領域）を上から押さえるように配置されている。
【００４９】
以上のように構成されたレンズ保持部では、カバー部材３をレンズ支持部材４に組み合わせた状態を示す図である図６（（ａ）は上面図、（ｂ）は側面断面図）に示すように、レンズ辺縁部１ｃは、６０°位置から９０°位置までの円弧領域１ｄがレンズ支持部材４の支持面４ｍ，４ｎによって下から支えられ、９０°位置から１２０°位置までの円弧領域１ｆがカバー部材３の押さえ突起３ａ，３ｄによって上から押さえられる。また、１３５°位置から１６５°位置までの円弧領域１ｅは、レンズ支持部材４に設けられた支持突起４ｂ，４ｃの水平面４ｂ１，４ｃ１とカバー部材３の押さえ突起３ｂ，３ｃによって上下方向において挟まれるように保持される。このような保持構造により、レンズ１はその光学部１ａが水平状態を保ち、自重や外力による実質的な応力がかからない状態で支持される。
【００５０】
しかも、レンズ１の外周端面のうち６０°位置と１３５°位置から１６５°位置までの範囲に当接する垂直面４ａ，４ｄ，４ｂ２，４ｃ２によって、先端方向および後方へのレンズ１のずれが阻止される。
【００５１】
また、カバー部材３の押さえ突起３ｂ，３ｃのうちレンズ辺縁部１ｃを押さえる部分よりも後方には、レンズ支持部材４の斜面４ｓに平行に延び、該斜面４ｓとの間でレンズ１の後端側の支持部１ｂを挟む傾斜部３ｂ１，３ｃ１が形成されている。さらに、垂直面４ａは、レンズ１の先端側支持部１ｂの外側面に沿って先端方向に延びるように形成されている。この垂直面４ａによる先端側支持部１ｂとの当接と、斜面４ｓおよび傾斜部３ｂ１，３ｃ１による後端側支持部１ｂの挟み込みとによって、レンズ１の回転が阻止される。
【００５２】
カバー部材３におけるレンズ１の中心Ｏよりも先端側の左右には、レンズ保持部に保持されたレンズ１の光学部１ａの上面（レンズ面）に近接する変形ガイド部３ｅが形成されている。この変形ガイド部３ｅの下面は、先端側が後端側よりも下がった斜面である下端面を有する。この変形ガイド部３ｅは、レンズ１がレンズ保持部から押出し軸６によって先端方向に押される際（レンズ１がレンズ保持部から完全に離れる前）に、光学部１ａの上面に当接し、該光学部１ａを下向きに凸形状となるように変形させるガイドとして機能する。これにより、レンズ１がレンズ保持部から完全に離れた後に、該レンズ１を挿入筒５の先端部５ｂによってスムーズに小さく変形させることができる。
【００５３】
次に、本実施例のレンズ保持部とレンズ１の押出し時における挙動との関係について説明する。
【００５４】
本実施例のレンズ保持部では、レンズ辺縁部１ｃのうち中心軸ＣＡ（０°位置）を中心とした１２０°の幅を持った領域が先端方向に向けて開放された状態でレンズ１（光学部１ａ）を水平に保持する。しかも、レンズ辺縁部１ｃのうち下から支えられる円弧領域１ｄに対して上から押さえられる円弧領域１ｆが後方にずれている。このため、レンズ１に押出し軸６によって先端方向への力を加えると、大きな抵抗が生ずることなくスムーズにレンズ１をレンズ保持部から先端方向に移動させることができる。
【００５５】
また、レンズ１はカバー部材３に設けられた変形ガイド部３ｅによって下側に向かって凸形状となるように変形しながらレンズ保持部から先端方向に移動する。このとき、前述したようにレンズ辺縁部１ｃのうち下から支えられる円弧領域１ｄ（との当接領域）に対して、上から押さえられる円弧領域１ｆが後方にずれているため、該変形に伴う円弧領域１ｄの上方への変位が妨げられない。したがって、レンズ保持部から先端方向に移動するレンズ１の変形もスムーズに行われる。
【００５６】
以上説明したように、本実施例によれば、レンズ１を光学部１ａに実質的に応力がかからない状態で、かつそのまま押出し軸６による先端方向への押し出しが可能な位置にて保持することができる。したがって、レンズ１の保管が可能であるとともに、押出し軸６の押し込み操作を行うだけで該レンズ１の眼内への挿入が可能な使い勝手の良い挿入器具を実現することができる。
【００５７】
また、本実施例では、レンズ支持部材４およびカバー部材３のそれぞれに、レンズ辺縁部１ｃのうち０°位置から１８０°位置までの間の領域に、互いに周方向に離間した複数の面や突起を当接可能としている。これにより、光学部１ａの水平保持とレンズ１のスムーズな押出しおよび変形を許容する保持構造を実現している。
【００５８】
図７〜図９には、上記実施例の挿入器具のレンズ保持部との実験比較例１であるレンズ保持部の構成を示している。なお、図７〜図９において、上記実施例と共通する構成部分には、実施例と同じ符号を付している。
（比較例１）
図７には、比較例１であるレンズ保持部の構成を示している。上記実施例では、レンズ辺縁部１ｃのうち６０°位置から９０°位置までの円弧領域１ｄを支持面４ｍ，４ｎによって支持し、レンズ辺縁部１ｃの外周端面における６０°位置に当接又は近接する垂直面４ａ，４ｄを形成した。これに対し、本比較例では、支持面４ｍ′，４ｎ′をレンズ辺縁部１ｃのうち７０°位置から９０°位置までの円弧領域を支持するように形成し、垂直面４ａ′，４ｄ′を、レンズ辺縁部１ｃの外周端面のうち７０°位置に当接又は近接するように形成している。
【００５９】
この場合、実施例（１２０°）に比べて、光学部１ａの先端方向への開放角度（１４０°）が大きくなるため、よりレンズ１を先端方向に押し出し易くなる。しかし、実施例に比べて、レンズ辺縁部１ｃの下面における支持面４ｍ′，４ｎ′による支持領域が後退するため、光学部１ａの先端側が上下方向に変位し、レンズ１を安定的に保持するためのレンズ保持部としての機能を果たすことができなかった。
【００６０】
（比較例２）
図８には、比較例２であるレンズ保持部の構成を示している。
【００６１】
本比較例では、支持面４ｍ″，４ｎ″をレンズ辺縁部１ｃのうち４５°位置から９０°位置までの円弧領域を支持するように形成し、垂直面４ａ″，４ｄ″を、レンズ辺縁部１ｃの外周端面のうち４５°位置に当接又は近接するように形成している。
【００６２】
この場合、レンズ１を安定的に保持することはできるが、実施例（１２０°）に比べて光学部１ａの先端方向への開放角度（９０°）が狭くなるため、レンズ１を先端方向に押し出す際の抵抗が大きくなり、レンズ１をスムーズに送り出すことが可能なレンズ保持部としての機能を果たすことができなかった。
【００６３】
（比較例３）
図９（（ａ）は上面図、（ｂ）は側面断面図）には、比較例３であるレンズ保持部の構成を示している。
【００６４】
上記実施例では、レンズ辺縁部１ｃのうち６０°位置から９０°位置までの円弧領域１ｄを支持面４ｍ，４ｎによって支持し、該円弧領域１ｄよりも後方（９０°位置から後方）の円弧領域１ｆを押さえ突起３ａ，３ｄで押さえるようにした。これに対し、本比較例では、円弧領域１ｄのうち６０°位置から７０°位置までの円弧領域を、実施例にはなかった押さえ突起３ｆ，３ｇによって押さえている。
【００６５】
この場合、レンズ１を安定的に保持することはできるが、光学部１ａが変形ガイド部３ｅによって下向きに凸形状となるように変形する際に、円弧領域１ｄが上方に変位できない。このため、スムーズにレンズ１の押し出しと変形とを行わせることができなかった。
【００６６】
以上の比較例に基づいて検討した結果、支持面４ｍ，４ｎは、上記実施例のようにレンズ辺縁部１ｃのうち６０°位置から後方の領域を支持するのが最も好ましいが、本発明はこれに限られない。具体的には、レンズ辺縁部１ｃのうち０°位置に対して４５°より大きく７０°より小さい周方向角度を有する位置から後方の領域を支持すればよい。より好ましくは、０°位置に対して５５°以上６５°以下の周方向角度を有する位置から後方の領域を支持するとよい。
【００６７】
一方、押さえ突起３ａ，３ｄは、上記実施例のようにレンズ辺縁部１ｃのうち９０°位置から後方の領域を押さえるのが最も好ましいが、本発明はこれに限られない。具体的には、０°位置に対して８０°より大きい周方向角度を有する位置よりも後方の領域を押さえるようにしてもよい。より好ましくは、０°位置に対して８５°より大きい周方向角度を有する位置よりも後方の領域を押さえるようにしてもよい。
【００６８】
また、上記実施例にて説明したレンズ保持部の構成は本発明を実施する場合の一例にすぎず、請求項に記載した条件を満たすレンズ保持部であれば、この構成にかかわらず本発明に含まれる。
【００６９】
例えば、上記実施例では、挿入筒５内に、これとは別部材として製作したレンズ支持部材４を組み込む場合について説明したが、本発明では、該レンズ支持部材が有する構造や形状を挿入筒に一体形成してもよい。
【００７０】
また、上記実施例では、光学部から線状の支持部が延出したタイプの眼内挿入用レンズの挿入器具について説明したが、本発明は、光学部の周囲に板状の支持部が延出したタイプの眼内挿入用レンズの挿入器具にも適用が可能である。この場合、レンズの辺縁部には、該板状の支持部を含めてもよい。
【図面の簡単な説明】
【００７１】
【図１】本発明の実施例１である眼内挿入用レンズの挿入器具の上面図および側面断面図。
【図２】実施例１の挿入器具のレンズ押出し途中の状態を示す上面図および側面断面図。
【図３Ａ】実施例１の挿入器具におけるレンズ支持部材の構成を示す上面図。
【図３Ｂ】実施例１の挿入器具におけるレンズ支持部材の構成を示す正面断面図。
【図３Ｃ】実施例１の挿入器具におけるレンズ支持部材の構成を示す側面断面図。
【図４】実施例１のレンズ支持部材の一部を拡大した断面図。
【図５】実施例１の挿入器具におけるカバー部材の構成を示す下面図および側面断面図。
【図６】実施例１のレンズ支持部材にカバー部材を組み合わせた状態を示す上面図および側面断面図。
【図７】比較例１の挿入器具の上面図。
【図８】比較例２の挿入器具の上面図。
【図９】比較例３の挿入器具の上面図および側面断面図。
【符号の説明】
【００７２】
１  眼内挿入用レンズ
１ａ  光学部
１ｂ  支持部
１ｃ  辺縁部
２  筒部材
３  カバー部材
３ａ，３ｂ，３ｃ，３ｄ  押さえ突起
３ｅ  変形ガイド部
４  レンズ支持部材
４ａ，４ｄ  垂直面
４ｂ，４ｃ  支持突起
４ｍ，４ｎ  支持面
５  挿入筒
６  押出し軸
【図４】
0004727497.tif 000002
【図１】
0004727497.tif 000003
【図２】
0004727497.tif 000004
【図３Ａ】
0004727497.tif 000005
【図３Ｂ】
0004727497.tif 000006
【図３Ｃ】
0004727497.tif 000007
【図５】
0004727497.tif 000008
【図６】
0004727497.tif 000009
【図７】
0004727497.tif 000010
【図８】
0004727497.tif 000011
【図９】
0004727497.tif 000012